(57)【要約】【課題】  ネットワークによる外部接続を要することなく許可された者のみに鍵の貸し出しを行う。【解決手段】  キーボックス１は、内部に鍵Ｘの収納空間３を備えた筐体２の側面部の開口部４に、下端側の軸５を中心に回動する蓋６を備える。筐体２内には、索状物９を引き出し可能に巻いたリール８と、索状物９の先端側に取り付けられて鍵Ｘを保持する鍵保持具１０と、開口部４を塞ぐ閉姿勢の蓋６のロックとロック解除とを行うロック手段７と、信号通信部１１と、電源１２と、制御器１３とを備える。制御器１３は、利用者が携帯する認証用手段から信号通信部１１へ予め設定された認証信号が入力されると、ロック手段７に蓋６のロックを解除する指令を与えて、開口部４を開放させて、収納空間３にて索状物９に吊られている鍵Ｘを、開口部４を通して外部に取出可能とする。【選択図】図２
2018071111.tif 000002
【特許請求の範囲】
【請求項１】
内部に鍵の収納空間を備えた筐体と、
筐体の側面部に設けられて前記収納空間に連通する開口部と、
前記開口部の下端側に設けられた軸と、
前記開口部を閉塞可能な形状を有し且つ前記軸を中心に回動する蓋と、
前記開口部を塞いだ閉姿勢の前記蓋のロックとロック解除とを行うロック手段と、
前記筐体内に一端側を保持させ且つ他端側に鍵を保持する鍵保持具を備えて前記筐体と前記鍵保持具とを連結する索状物と、
信号通信部と、
制御器と、を備え、
前記制御器は、前記信号通信部への認証信号の入力を基に、前記ロック手段へ、蓋のロックを解除する指令を与える機能を備えること
を特徴とするキーボックス。
【請求項２】
前記制御器に電源が接続され、
前記電源は、前記筐体内に配置された一次電池または二次電池とした
請求項１記載のキーボックス。
【請求項３】
前記信号通信部は、前記認証信号を、無線通信により受信するものとした
請求項１または２記載のキーボックス。
【請求項４】
前記筐体内に前記索状物の一端側を引き出し可能に巻いて保持するリールが備えられている
請求項１から請求項３のいずれか一項に記載のキーボックス。
【請求項５】
前記リールは、ばね式で前記索状物を巻き戻す機能を備えるものとした
請求項４記載のキーボックス。
【請求項６】
前記筐体内における前記収納空間の上方で且つ前記開口部に接近した位置に、前記索状物を案内するガイドを備え、
前記ガイドは、該ガイドから垂下する前記索状物の先端側に前記鍵保持具を介して保持された前記鍵の一部が、前記蓋が開放された前記開口部から露出する配置で設けられた
請求項４または５記載のキーボックス。
【発明の詳細な説明】
【技術分野】
【０００１】
本発明は、鍵の貸し出しを無人で行うキーボックスに関するものである。
【背景技術】
【０００２】
賃貸や販売などを目的として住宅の内覧を行う場合であって、管理者が立ち会わない場合は、内覧者に対象となる住宅の出入口の錠の鍵（以下、単に、住宅の鍵という）を貸し出す処理が必要になる。
【０００３】
このような鍵の貸し出しのために係員を配したのでは人件費がかかってしまう。そのため、鍵の貸し出しは、無人で実施することが望まれる。
【０００４】
従来、共同利用物の鍵の貸し出しと返却とを自動で行うための装置としては、たとえば、キーボックスを利用した共同利用物貸出返却システムが提案されている（たとえば、特許文献１参照）。
【先行技術文献】
【特許文献】
【０００５】
【特許文献１】特開２００６−７９１９９号公報
【発明の概要】
【発明が解決しようとする課題】
【０００６】
ところが、特許文献１に示されたものは、キーボックスに、予約センタとネットワークを介して通信を行う機能が必要とされる。
【０００７】
したがって、特許文献１に示されたキーボックスは、たとえば、住宅の鍵などの鍵を自動で貸し出す処理に適用することはできるが、その場合は、キーボックスを設置すると共に、キーボックスが予約センタと通信を行うためのネットワーク設備も設ける必要が生じてしまう。
【０００８】
そこで、本発明は、ネットワークを介して外部と接続することなく、許可された利用者に対する鍵の貸し出しを自動で行うことができるキーボックスを提供しようとするものである。
【課題を解決するための手段】
【０００９】
本発明は、前記課題を解決するために、内部に鍵の収納空間を備えた筐体と、筐体の側面部に設けられて前記収納空間に連通する開口部と、前記開口部の下端側に設けられた軸と、前記開口部を閉塞可能な形状を有し且つ前記軸を中心に回動する蓋と、前記開口部を塞いだ閉姿勢の前記蓋のロックとロック解除とを行うロック手段と、前記筐体内に一端側を保持させ且つ他端側に鍵を保持する鍵保持具を備えて前記筐体と前記鍵保持具とを連結する索状物と、信号通信部と、制御器と、を備え、前記制御器は、前記信号通信部への認証信号の入力を基に、前記ロック手段へ、蓋のロックを解除する指令を与える機能を備えた構成を有するキーボックスとする。
【００１０】
前記制御器に電源が接続され、前記電源は、前記筐体内に配置された一次電池または二次電池とした構成としてある。
【００１１】
前記信号通信部は、前記認証信号を、無線通信により受信するものとした構成としてある。
【００１２】
前記筐体内に前記索状物の一端側を引き出し可能に巻いて保持するリールが備えられている構成としてある。
【００１３】
前記リールは、ばね式で前記索状物を巻き戻す機能を備えるものとした構成としてある。
【００１４】
前記筐体内における前記収納空間の上方で且つ前記開口部に接近した位置に、前記索状物を案内するガイドを備え、前記ガイドは、該ガイドから垂下する前記索状物の先端側に前記鍵保持具を介して保持された前記鍵の一部が、前記蓋が開放された前記開口部から露出する配置で設けられた構成としてある。
【発明の効果】
【００１５】
本発明のキーボックスによれば、ネットワークを介して外部と接続することなく、許可された利用者に対する鍵の貸し出しを自動で行うことができる。
【図面の簡単な説明】
【００１６】
【図１】キーボックスの第１実施形態を示す概要図である。
【図２】図１のキーボックスの切断正面図である。
【図３】図１のキーボックスの切断側面図である。
【図４】キーボックスから取り出した鍵の使用状態を示す図である。
【図５】蓋のロック手段を示す図である。
【図６】キーボックスの第２実施形態を示す切断正面図である。
【図７】図６の切断側面図である。
【発明を実施するための形態】
【００１７】
以下、本発明を実施するための形態を図面を参照して説明する。
【００１８】
［第１実施形態］
図１は、キーボックスの第１実施形態を示すもので、図１（ａ）は概略側面図、図１（ｂ）は概略正面図である。図２は、図１のキーボックスの概略切断正面図であり、図２（ａ）は蓋がロックされた状態を示す図、図２（ｂ）は蓋のロックが解除された状態を示す図である。図３は、図２（ａ）のＡ−Ａ位置での概略切断側面図である。図４はキーボックスから取り出された鍵の使用状態を示す概要図である。図５は、ロック手段を拡大して示すもので、図５（ａ）はロック状態を示す正面図、図５（ｂ）は図５（ａ）のＢ−Ｂ方向矢視図、図５（ｃ）はロック解除状態を示す正面図、図４（ｄ）は図４（ｃ）のＣ−Ｃ方向矢視図である。
【００１９】
本実施形態のキーボックスは、図１（ａ）（ｂ）、図２（ａ）（ｂ）、図３に符号１で示すものである。説明の便宜上、図１（ａ）（ｂ）、図２（ａ）（ｂ）における紙面の手前側（図３では右側）をキーボックス１の前側、図１（ａ）（ｂ）、図２（ａ）（ｂ）における奥側（図３では左側）をキーボックス１の後側といい、図１（ａ）（ｂ）、図２（ａ）（ｂ）における左右方向を、キーボックス１の左右方向として説明する。
【００２０】
キーボックス１は、鍵Ｘの収納空間３を備えた筐体２と、筐体２の一側面部、たとえば、左側面部に設けられて収納空間３と連通する開口部４と、開口部４の下端側に配置された軸５と、開口部４を閉塞可能な形状を有し且つ軸５を中心に回動する蓋６と、開口部４を塞いだ閉姿勢の蓋６についてロックとロック解除とを行うロック手段７と、索状物９が引き出し可能に巻かれたリール８と、索状物９の先端側に取り付けられた鍵保持具１０とを備え、更に、信号通信部１１と、電源１２と、制御器１３とを備えた構成とされている。
【００２１】
筐体２は、上下方向寸法と左右方向寸法に比して前後方向寸法が小さい、扁平した直方体形状とされている。
【００２２】
筐体２は、たとえば、ベースプレート１４と、ベースプレート１４の前面側に取り付けられた箱体部１５とを備えた構成とされている。
【００２３】
ベースプレート１４は、方形の板状部材である。なお、ベースプレート１４は、図２（ａ）では、上下方向寸法が左右方向寸法よりも大となる長方形のものとして示したが、上下方向寸法よりも左右方向寸法が大となる長方形や、正方形であってもよいことは勿論である。
【００２４】
ベースプレート１４は、後述する箱体部１５の取付個所と干渉しない位置に、図示しない取付穴を備えている。これにより、ベースプレート１４は、図１（ａ）に示すように、住宅の出入口の周囲の壁面などの固定部１６に、前記図示しない取付穴に通したねじやボルトを用いて固定することができる。
【００２５】
箱体部１５は、ベースプレート１４と同様の方形の前側壁１５ａと、前側壁１５ａの左端縁、右端縁、上端縁、下端縁からそれぞれ後方に向けて突出する左側壁１５ｂ、右側壁１５ｃ、上側壁１５ｄおよび下側壁１５ｅとを備えた構成とされている。
【００２６】
箱体部１５は、左側壁１５ｂ、右側壁１５ｃ、上側壁１５ｄおよび下側壁１５ｅの突出端側が、ベースプレート１４の前面の周縁部に接するように配置される。この状態で、箱体部１５は、開口部４、収納空間３、および、内部の機器の配置および動作に干渉しない個所が、ベースプレート１４に、図示しないボルトを介して取り外し可能に固定されている。この箱体部１５の固定に用いるボルトとしては、着脱に特別な工具を必要とする特殊ねじを使用することが好ましい。これは、防犯性の向上化を図るためである。
【００２７】
更に、本実施形態のキーボックス１は、図１（ａ）（ｂ）に二点鎖線で示すように、箱体部１５の前面側に、取り外し可能なカバー１７を備える構成とすることが好ましい。これは、カバー１７の表面に文字を記して表札や部屋番号の表示物として使用したり、ベースプレート１４の設置個所に応じた模様をカバー１７の表面に設けて装飾物として使用したりすることで、キーボックス１の有効利用を図ると共に、キーボックス１であることを外見上分かり難くして、防犯性の向上化を図るためである。また、たとえば、住宅が売却されるなど、鍵Ｘの貸し出しが必要なくなった場合は、ベースプレート１４から箱体部１５を取り外してダミーと取り替えることで、ベースプレート１４を撤去せずに、表札や部屋番号の表示物、装飾物として継続して利用することが可能になる。
【００２８】
図１（ａ）に示すように、筐体２の左側面部となる箱体部１５の左側壁１５ｂには、上下方向に延びる開口部４が設けられている。本実施形態では、開口部４は、左側壁１５ｂの上端より設定された寸法下がった位置から、左側壁の下端までの領域に設けられている。開口部４のサイズは、本実施形態のキーボックス１の収納対象となる鍵Ｘが通過可能となるように設定されている。
【００２９】
開口部４は、左側壁１５ｂを突出端側（後端側）から切り欠いて形成されていることが好ましい。このようにすれば、開口部４の形成を容易なものとすることができる。なお、開口部４は、左側壁１５ｂの前後方向の中間部に内外方向に貫通する開口として設けてもよいことは勿論である。
【００３０】
筐体２では、図２（ａ）（ｂ）、図３に示すように、開口部４の内側でベースプレート１４と前側壁１５ａとの間に挟まれた空間が、鍵Ｘの収納空間３とされている。
【００３１】
下側壁１５ｅは、開口部４側となる左端側に、開口部４に繋がる切欠き１８が設けられている。この切欠き１８は、蓋６が軸５を中心に回動するときに下側壁１５ｅと干渉することを防ぐためのものである。
【００３２】
軸５は、図１（ａ）（ｂ）に示すように、開口部４の下端付近となる位置として、箱体部１５の前側壁１５ａにおける左下のコーナ部に、後方に突出するように設けられている。ベースプレート１４における左下のコーナ部には、軸５の突出端側を挿入する穴１９が設けられている。箱体部１５をベースプレート１４に取り付けるときには、軸５の突出端側を穴１９に挿入する。これにより、軸５は、前側壁１５ａとベースプレート１４により両持ちで支持される。
【００３３】
なお、図示しないが、軸５は、軸心部を貫通する貫通孔を備えて、この貫通孔に、箱体部１５のベースプレート１４への固定を行う特殊ねじを通す構成としてもよい。更には、軸５自体が、箱体部１５のベースプレート１４への固定を行う特殊ねじを兼ねる構成としてもよい。これらの構成によっても、軸５は両持ちで支持される。
【００３４】
蓋６は、下端側が軸５に回動可能に取り付けられている。これにより、蓋６は、軸５を中心に、図２（ａ）に示すように蓋６が開口部４を塞ぐ閉姿勢と、図４に示すように、蓋６が筐体２の側方に突出するように配置されて開口部４が開放された開姿勢との間で、自在に回動することができる。なお、図示しないが、蓋６には、図４に示した開姿勢になると、ベースプレート１４や箱体部１５の一部、あるいは、ベースプレート１４や箱体部１５に設けられた係止部に係止されるストッパを備えて、蓋６のそれ以上の回動が制限されるようにすることが好ましい。
【００３５】
蓋６には、更に、後述するロック手段７に係止させる係止部材２０が取り付けられている。本実施形態では、係止部材２０は、図２（ｂ）に示すように、蓋６が閉姿勢となるときに、収納空間３よりも右側で且つ設定された高さ位置に配置された上向きの係止面２０ａを備えた部材である。
【００３６】
具体的には、係止部材２０は、前記設定された高さ位置に配置された係止面２０ａを備える上端側から下側壁１５ｅの近傍位置まで上下方向に延びる柱状の部材であり、係止部材２０の下端側は、蓋６の下端側に、下側壁１５ｅの上面に沿い左右方向に延びる連結部材２１を介して固定されている。更に、蓋６と係止部材２０は、後端側同士が、収納空間３の後側、すなわち、ベースプレート１４の前面に沿い配置された補強板２２を介して連結されている。なお、蓋６と係止部材２０は、前端側同士が、収納空間３の前側に沿い配置された図示しない補強板を介して連結された構成としてもよい。
【００３７】
これにより、係止部材２０は、蓋６と一体に軸５を中心に回動する。この際、係止部材２０の係止面２０ａの移動軌跡２３は、図５（ａ）（ｃ）に二点鎖線で示すように、軸５を中心とする円弧となる。
【００３８】
ロック手段７は、図５（ａ）（ｂ）に示すように、箱体部１５の内側に取り付けられているサーボモータ２４と、サーボモータ２４の出力軸２４ａに取り付けられた係止アーム２５とを備えた構成とされている。係止アーム２５は出力軸２４ａと直角な方向に設定された寸法で延びる棒状の部材であり、長手方向の一端側となる基端側が、出力軸２４ａに取り付けられている。したがって、係止アーム２５の長手方向他端側である先端側は、出力軸２４ａの外周よりも外側に突出している。
【００３９】
サーボモータ２４は、蓋６が閉姿勢の状態のときに係止部材２０よりも右側となる位置に、出力軸２４ａを左向きとし、且つ係止アーム２５が係止部材２０の上側に接近するようにした姿勢で配置されている。
【００４０】
ロック手段７は、サーボモータ２４の運転により係止アーム２５を旋回させて、図５（ａ）（ｂ）に示すように係止アーム２５の先端側を出力軸２４ａの下方に突出する姿勢に配置した状態が、ロック状態である。ロック手段７は、蓋６が閉姿勢の状態のときにロック状態になると、係止アーム２５の先端側を、係止部材２０の係止面２０ａに上方から押し当てることができる。したがって、この状態では、係止部材２０と共に蓋６が軸５を中心に回動する動作が阻止されるため、蓋６は、開口部４を塞いだ閉姿勢に保持される。
【００４１】
一方、ロック手段７は、サーボモータ２４の運転により係止アーム２５を旋回させて、図５（ｃ）（ｄ）に示すように、係止アーム２５の先端側を出力軸２４ａの前側、あるいは、後側に配置した状態が、ロック解除状態である。ロック手段７は、ロック解除状態では、図５（ｃ）に示すように、係止アーム２５を、係止部材２０の係止面２０ａの移動軌跡２３の外側へ退避させることができる。したがって、この状態では、係止部材２０と共に蓋６の軸５を中心とする回動が可能となるため、開口部４を開放することが可能になる。
【００４２】
ロック手段７のサーボモータ２４には、図２（ａ）に示すように、制御器１３が接続されている。
【００４３】
更に、ロック手段７の制御に関連して、本実施形態では、蓋６が閉姿勢の状態のときに係止部材２０が配置される位置の右側近傍位置に近接センサ２６を備え、この近接センサ２６が制御器１３に接続された構成を備えている。制御器１３は、近接センサ２６により係止部材２０が検出される場合、すなわち、蓋６が閉姿勢となっている場合にのみ、ロック手段７へロック指令やロック解除指令を与える機能を備えている。その他の制御器１３の機能については後述する。
【００４４】
リール８は、索状物９を、基端側となる長手方向の一端側から巻いた構成を備えている。これにより、リール８は、索状物９の先端側を引くことで、リール８から索状物９を引き出すことができる。また、リール８は、ばね式で索状物９を巻き戻す機能を備えている。これは、索状物９の引き出し時に変形するぜんまい式などのばね（図示せず）の復元力により、引き出された索状物９を元の状態まで巻き戻す機能である。
【００４５】
更に、リール８は、図示しないが、索状物９を引き出した状態で、前記ばねの復元力に抗して索状物９の巻き戻しを一時的に停止可能なストッパ機構を備えることが好ましい。このストッパ機構は、索状物９の引き出し方の調整や巻き戻し方向の速度の調整といった索状物９の操作により、索状物９の巻き戻しの一時的な停止とその解除とを切り替えることができるものを使用する。
【００４６】
なお、リール８における前記ばね式で索状物９を巻き戻す機能や、ストッパ機構は、電源コードのリールや、接続ケーブルのリールで広く使用されている技術であるため、ここでは構成の詳細な説明は省略する。
【００４７】
リール８は、収納空間３の上方となる位置に配置されて、箱体部１５の内側に取り付けられている。これにより、索状物９は、一端側がリール８を介して筐体２内に保持される。
【００４８】
索状物９は、リール８に巻くことが可能な柔軟性を備えていると共に、リール８からの引き出しとリール８への巻き戻しとを繰り返し実施しても容易に損耗や切断が生じない強度や耐久性を備えていればよい。索状物９としては、たとえば、金属製または樹脂製のワイヤや、繊維ロープを使用することが好ましいが、他の材質や構造の索状物９を用いてもよい。
【００４９】
鍵保持具１０は、鍵Ｘの把持部Ｙに一般的に備えられている孔に通して取り付けるためのリング部２７を備えた構成とされている。これにより、鍵保持具１０は、リング部２７を鍵Ｘの孔に通して取り付けることができる。この状態で、鍵Ｘは、鍵保持具１０、索状物９およびリール８を介して筐体２に連結される。
【００５０】
更に、本実施形態のキーボックス１は、収納空間３の上方で且つ開口部４に接近した位置に、索状物９を案内するガイド２８を備えている。ガイド２８は、箱体部１５の内側、たとえば、前側壁１５ａの内側に取り付けられている。なお、ガイド２８は、リール８における索状物９の出口に取り付けられていてもよい。
【００５１】
図２（ｂ）に示すように、開口部４からガイド２８までの水平方向の距離Ｄは、鍵Ｘの把持部Ｙの幅寸法Ｗの１／２未満の寸法としてある。これにより、図２（ｂ）に示すようにガイド２８から自然に垂下する索状物９に鍵保持具１０を介して鍵Ｘが吊られた状態では、鍵Ｘの一部である把持部Ｙの片側を、開口部４を通して筐体２の外部に露出させることができるようにしてある。よって、この状態では、鍵Ｘの筐体２外に露出された部分を持って、鍵Ｘを開口部４から外部へ取り出すことができる。
【００５２】
なお、図示しないが、鍵保持具１０を左右方向に幅広のものとして、ガイド２８から自然に垂下する索状物９に鍵保持具１０を介して鍵Ｘが吊られた状態のときに、鍵保持具１０の片側が、開口部４を通して筐体２の外部に露出する構成としてもよい。この場合は、開口部４からガイド２８までの水平方向の距離Ｄは、鍵保持具１０の左右幅寸法の１／２未満の寸法となるようにすればよい。この構成によれば、鍵保持具１０の筐体２の外部に露出される部分を持って、鍵保持具１０と一緒に鍵Ｘを開口部４から外部へ取り出すことができる。
【００５３】
更に、ガイド２８が前記した配置で設けられていることに伴い、図２（ｂ）に示すように開口部４が開放された状態から、図２（ａ）に示すように蓋６を開口部４に配置して閉姿勢とするときは、ガイド２８から自然に垂下する索状物９と鍵保持具１０と鍵Ｘを、蓋６を介して収納空間３へ押し込むことになる。よって、閉姿勢とされた蓋６には、索状物９と鍵保持具１０と鍵Ｘがガイド２８から自然に垂下した状態に復元しようとする復元力が、内側から外向きに常時作用することになる。
【００５４】
そのため、本実施形態のキーボックス１では、ロック手段７により蓋６が閉姿勢でロックされた状態から、ロックが解除されると、蓋６は、自動的に開口部４から外方へ押し出されて図２（ｂ）に示した状態になり、索状物９と鍵保持具１０と鍵Ｘは、ガイド２８から自然に垂下した状態に配置される。
【００５５】
索状物９には、索状物９がリール８に巻き戻されるときに、巻き戻し量が適正になるとガイド２８に当たる過巻規制部材２９を取り付けた構成としてもよい。この構成によれば、前記ばねの復元力によってリール８に索状物９が巻き戻されるときに、リール８における索状物９の巻き戻し量が過剰になる虞を防止することができる。
【００５６】
箱体部１５の内側には、制御器１３と電源１２と信号通信部１１が、収納空間３、リール８およびロック手段７と干渉しない配置で設けられている。
【００５７】
信号通信部１１と電源１２は、制御器１３に接続されている。電源１２は、制御器１３に加えて、制御器１３を介して、信号通信部１１、ロック手段７のサーボモータ２４、近接センサ２６に電力を供給する。
【００５８】
本実施形態のキーボックス１を様々な個所に設置できるようにするという観点から考えると、電源１２は、一次電池や二次電池を用いることが好ましい。なお、本実施形態のキーボックス１は、電源１２として燃料電池を用いたり、筐体２内に配置した電源１２に代えて、図示しない電源コードを介してＡＣ電源などの商用電源に接続したりする構成であってもよいことは勿論である。
【００５９】
電源１２として一次電池や二次電池を用いる場合は、図１（ｂ）に示すように、箱体部１５を、前側壁１５ａに開閉可能な蓋３１を備えた開口部３０を備えた構成とし、この開口部３０の内側に、図示しない電池ボックスなどを介して一次電池や二次電池による電源１２を保持させた構成とすることが好ましい。なお、図示しないが、蓋付きの開口部３０は、箱体部１５の内側に設ける電源１２の配置に応じて、前側壁１５ａ以外の個所に設けた構成としてもよいことは勿論である。この構成によれば、開口部３０の蓋３１を開けることで電池交換を容易に行うことができる。
【００６０】
なお、本実施形態のキーボックス１は、ベースプレート１４から箱体部１５を取り外して電池交換を行うものとしてもよく、この場合は、箱体部１５には開口部３０を備えない構成としてよい。
【００６１】
信号通信部１１は、鍵Ｘの貸し出しを望む利用者（図示せず）が持っている図２（ａ）に一点鎖線で示す如き認証用手段３２から、利用者が利用の許可を得た者であることを確認するための認証信号Ｓを受けるものである。
【００６２】
なお、認証用手段３２としては、スマートフォン、タブレット、携帯電話機など、利用者が携帯する携帯端末であって、アプリケーションプログラムの実行と、ネットワークを介した外部接続により認証信号Ｓの取得が可能となる機能を備えた携帯端末を用いることが好ましい。この認証用手段３２を用いた本実施形態のキーボックス１の運用方法については、使用例として後述する。
【００６３】
認証用手段３２から信号通信部１１への認証信号Ｓの受け渡しは、たとえば、近距離無線通信などの無線通信で行うようにすればよい。この場合は、認証用手段３２と信号通信部１１の双方が、無線通信用の通信モジュールを備えた構成とすればよい。
【００６４】
制御器１３は、以下の鍵貸出処理を実行する機能を備えている。
【００６５】
この鍵貸出処理では、制御器１３は、信号通信部１１からの信号を基に、認証信号Ｓの入力を確認すると、ロック手段７のサーボモータ２４へ、図５（ａ）（ｂ）に示した蓋６のロック状態から、図５（ｃ）（ｄ）に示した蓋６のロック解除状態へ動作させるロック解除指令を与える。
【００６６】
このロック解除指令に従ってサーボモータ２４が動作して、蓋６がロック解除状態になると、図２（ｂ）で説明したように、蓋６が開口部４の外方に押し出されると共に、鍵Ｘの一部が開口部４を通して筐体２の外部に露出された配置になる。
【００６７】
このように鍵Ｘが開口部４から露出されると、利用者は、鍵Ｘを手に持つことができる。更に、図４に示すように、利用者が鍵Ｘを引いて移動させると、それに応じてリール８から索状物９が引き出される。この際、リール８に備えた図示しないストッパ機構により索状物９の巻き戻しは一時的に停止できるため、利用者は、鍵Ｘを、索状物９に接続されたままの状態で使用目的の錠がある位置まで移動させて、錠の解錠操作や施錠操作を行うことができる。
【００６８】
利用者は、鍵Ｘの使用が終了すると、索状物９を操作してリール８のストッパ機構を解除する。これにより、索状物９はリール８に巻き戻される。これにより、鍵Ｘは、図２（ｂ）に示したように開口部４に配置された状態に復帰する。
【００６９】
この状態で、利用者は、鍵Ｘを収納空間３へ押し込むようにしながら、蓋６を、開口部４を塞ぐ閉姿勢に戻す操作を行う。
【００７０】
制御器１３は、近接センサ２６からの信号を基に、蓋６が開口部４を塞ぐ閉姿勢に復帰されたことを確認すると、ロック手段７のサーボモータ２４へ、図５（ｃ）（ｄ）に示した蓋６のロック解除状態から、図５（ａ）（ｂ）に示した蓋６のロック状態へ動作させるロック指令を与える。これにより、蓋６は、開口部４を塞ぐ閉姿勢に保持される。このため、本実施形態のキーボックス１では、開口部４からの鍵Ｘの取り出しが不能になる。
【００７１】
このように、本実施形態のキーボックス１によれば、認証用手段３２を用いて認証信号Ｓを発することで認証される利用者に対してのみ、鍵Ｘの貸し出しを行うことができる。
【００７２】
また、本実施形態のキーボックス１では、制御器１３は、認証信号Ｓが信号通信部１１に入力されると、ロック手段７のサーボモータ２４へロック解除指令を与える処理を行うようにしてある。したがって、制御器１３では、認証用手段３２を携帯する利用者の情報や、利用者がいつ鍵Ｘを使用するかというような情報は必要としない。
【００７３】
よって、本実施形態のキーボックス１は、ネットワークを介して外部に接続する必要のないものとすることができる。
【００７４】
なお、認証用手段３２から認証信号Ｓをいつ発信可能とするか、というような鍵Ｘが使用可能となる期間や時間の管理は、認証用手段３２側のアプリケーションプログラムで行うようにすればよい。
【００７５】
したがって、本実施形態のキーボックス１は、さまざまな鍵Ｘを自動で貸し出す処理に適用することができ、その際、本実施形態のキーボックス１が外部と通信を行うためのネットワーク設備を付設する必要はないので、鍵Ｘの貸し出しを自動で行うために必要とされる設備コストの削減化を図ることができる。
【００７６】
また、鍵Ｘは、鍵保持具１０、索状物９、リール８を介して筐体２に連結されているため、利用者が鍵Ｘを返却し忘れて持ち帰るといった問題や、鍵Ｘを紛失するといった問題の発生を防止することができる。
【００７７】
本実施形態のキーボックス１では、制御器１３は、信号通信部１１に認証信号Ｓが入力されるまでは待機状態となる。
【００７８】
また、本実施形態のキーボックス１は、電力を消費する駆動部としては１つのサーボモータ２４のみを備えた構成とされている。更に、本実施形態のキーボックス１は、蓋６のロック状態とロック解除状態とを切り替えるときは、サーボモータ２４により、係止アーム２５の先端部を、係止部材２０の係止面２０ａに接する位置から、該係止面２０ａの移動軌跡２３の外側となる位置まで移動させるのみでよい。このため、係止アーム２５は、１ｃｍ程度あれば十分に機能させることができる。よって、サーボモータ２４は、出力を抑えることができて、電力消費も抑えることができる。
【００７９】
信号通信部１１は、認証用手段３２から認証信号Ｓを無線通信で受けるのみでよい。更に、信号通信部１１に無線通信で受けた認証信号Ｓは、画像解析のような特別な処理を要することなく電気信号に変換することができるため、信号通信部１１や制御器１３の消費電力の低減化を図ることができる。
【００８０】
リール８は、ばね式の巻き戻し機能を備えているため、リール８から引き出された索状物９を巻き戻すときに電力を消費することはない。
【００８１】
このため、本実施形態のキーボックス１は、消費電力を抑えることができる。よって、本実施形態のキーボックス１は、電源１２として一次電池を用いる場合は、電池交換の頻度の低減化を図ることができる。また、電源１２として二次電池を用いる場合は、充電の頻度の低減化を図ることができる。
【００８２】
［第１実施形態の使用例］
次に、キーボックス１の使用例として、住宅の鍵Ｘを、住宅の内覧を行う利用者に対して貸し出す場合について説明する。
【００８３】
この場合、本実施形態のキーボックス１は、図４に示す如き住宅の出入口３３の周囲の壁面に設置する。鍵保持具１０には、住宅の鍵Ｘを接続した構成としておく。なお、図示する便宜上、図４におけるキーボックス１と住宅の出入口３３の寸法や相対的な寸法比は実際の寸法や寸法比を反映したものではない。
【００８４】
住宅の内覧のために鍵Ｘの一時利用を望む利用者は、認証用手段３２（図２（ａ）参照）となる携帯端末を用いて、ネットワークを介して予約サーバ（図示せず）に接続し、内覧を希望する期間についての予約を申し込む。
【００８５】
予約サーバは、申し込まれた利用希望期間について、住宅の内覧が可能かを判断し、内覧可能であれば、利用者の認証用手段３２に、内覧希望期間に対応する鍵Ｘの利用期間に関連付けられた利用許可を送る。
【００８６】
一方、認証用手段３２では、予約サーバより受けた利用許可に基づいて、利用許可を受けた期間にのみ認証信号Ｓ（図２参照）の発信が可能となるアプリケーションプログラムを、予め実行可能としておく。
【００８７】
この状態で、利用者は、利用許可を受けた期間に内覧対象の住宅へ行き、認証用手段３２を本実施形態のキーボックス１の近くに配置した状態で、認証用手段３２で所定のアプリケーションプログラムを実行する。これにより、認証用手段３２からは、認証信号Ｓが無線通信により発信される。
【００８８】
本実施形態のキーボックス１は、この認証信号Ｓを信号通信部１１で受けると、前記したように制御器１３によるロック解除指令に従ってロック手段７による蓋６のロックが解除されるため、蓋６が開くと共に、開口部４から鍵Ｘが外部に露出される。
【００８９】
この状態で、利用者は、鍵Ｘを手に持って、図４に示すように、索状物９をリール８から引き出しながら鍵Ｘを出入口３３の錠の位置まで移動させて、その解錠操作を行う。
【００９０】
これにより、利用者は、出入口３３を開いて、住宅の内覧を行うことができる。
【００９１】
利用者は、内覧が終了すると、鍵Ｘを用いて出入口３３の施錠操作を行い、その後、リール８に索状物９を巻き戻させることで、鍵Ｘを開口部４まで戻し、しかる後、鍵Ｘを開口部４から筐体２内へ押し込むようにして、蓋６を開口部４を塞いだ閉姿勢に配置させる。
【００９２】
このように、蓋６が閉姿勢になると、前記したように制御器１３によるロック指令に従ってロック手段７による蓋６のロックが実施される。
【００９３】
認証用手段３２における所定のアプリケーションプログラムは、鍵Ｘの利用許可を受けた期間よりも前や後の時点では認証信号Ｓを発信しない。よって、たとえ内覧の予約を行った利用者であっても、鍵Ｘの利用許可を受けた期間以外は、本実施形態のキーボックス１から鍵Ｘを取り出すことはできない。
【００９４】
また、内覧予約を行っていない者は、認証用手段３２を用いた認証信号Ｓの発信を行うことができないので、本実施形態のキーボックス１から鍵Ｘを取り出すことはできない。
【００９５】
以上により、内覧対象の住宅では、予約により鍵Ｘの利用許可を受けた利用者が、利用許可を受けた期間に限って鍵Ｘを取り出して住宅の内覧を行うことが可能となる。
【００９６】
一方、住宅の管理者は、内覧対象住宅に本実施形態のキーボックス１を設けて、キーボックス１に、その住宅の鍵Ｘを保持させる構成を追加すれば、鍵Ｘの利用許可を受けた利用者への鍵Ｘの貸し出しは自動で行うことができる。
【００９７】
しかも、本実施形態のキーボックス１は、ネットワーク設備を付設する必要はないので、鍵Ｘの自動での貸し出しを実現するために要する設備コストを低く抑えることができる。
【００９８】
また、鍵Ｘは索状物９に繋がれているため、利用者が鍵Ｘを返却し忘れて持ち帰るといった問題や、鍵Ｘを紛失するといった問題の発生は防止することができて、他の利用者が鍵Ｘの貸し出しを受けられずに住宅の内覧を行うことができなくなるという問題も防止することができる。
【００９９】
［第２実施形態］
図６および図７は、キーボックスの第２実施形態を示すものである。図６はキーボックスの概略切断正面図であり、図６（ａ）は、蓋がロックされた状態を示すもので、図２（ａ）に対応する図である。図６（ｂ）は、蓋のロックが解除された状態を示すもので、図２（ｂ）に対応する図である。図７は、図６（ａ）のＤ−Ｄ位置での概略切断側面図である。
【０１００】
図６（ａ）（ｂ）および図７において、第１実施形態と同一のものには、同一の符号を付して、その説明は省略する。
【０１０１】
本実施形態のキーボックス１ａは、第１実施形態のキーボックス１と同様な構成において、リール８に巻き取り可能な索状物９を備える構成に代えて、筐体２内と鍵Ｘとを連結する索状物として、巻き取らない方式のチェーン３４を用いる構成としたものである。
【０１０２】
そのために、本実施形態のキーボックス１ａは、蓋６の内側に、鍵Ｘおよび折りたたまれた状態のチェーン３４を収納可能な収納容器３５を備えた構成とされている。これにより、本実施形態のキーボックス１ａでは、蓋６を開口部４を塞いだ閉姿勢にすると、鍵Ｘは、収納容器３５ごと筐体２内の収納空間３に収納することができる。
【０１０３】
更に、本実施形態のキーボックス１ａは、チェーン３４の一端側を筐体２内に保持する保持手段３６と、筐体２内でチェーン３４が収納空間３へ垂下する位置を規制する規制手段３７と、蓋６が閉姿勢のときに、蓋６および収納容器３５を軸５を中心に蓋６を開く方向へ付勢する付勢手段３８とを備えた構成とされている。
【０１０４】
本実施形態では、収納容器３５は蓋６と一体とされている。収納容器３５は、蓋６と、係止部材２０と、蓋６の幅方向（前後方向）の両側と係止部材２０の幅方向（前後方向）の両側とを連結する２枚の補強板２２，２２ａと、蓋６の下端側と係止部材２０の下端側とを連結する連結部材２１とにより形成されている。これにより、収納容器３５は、蓋６と、係止部材２０と、２枚の補強板２２，２２ａと、連結部材２１とで囲まれた内側に平面形状が矩形状の内部空間を備えた箱形となっている。よって、収納容器３５は、この内部空間に鍵Ｘとチェーン３４とを収納することができる。
【０１０５】
更に、筐体２内の左右方向の中央部分には、係止部材２０の上端側よりも上方で係止アーム２５の旋回動作と干渉しない高さ位置から、筐体２の上側壁１５ｄまで達する位置に、閉塞板３９が、筐体２内を仕切るように設けられている。
【０１０６】
閉塞板３９は、図６（ａ）に示すように、蓋６が閉姿勢のとき、補強板２２，２２ａにおける係止部材２０より上方に位置する部分と干渉することなく、補強板２２，２２ａに近接する位置に設けられている。これにより、蓋６が閉姿勢のときには、補強板２２，２２ａ同士の間に形成されている収納容器３５の開口部であって且つ横向きの配置となる部分が、閉塞板３９でほぼ塞がれるようになっている。このため、本実施形態のキーボックス１ａでは、蓋６を開姿勢から回動させて閉姿勢とするときに、収納容器３５に収納された状態で回動する鍵Ｘとチェーン３４に慣性力が作用しても、筐体２内で鍵Ｘやチェーン３４が収納容器３５からはみ出ることを防止することができる。
【０１０７】
付勢手段３８は、鍵Ｘとチェーン３４が収納されて重くなっている収納容器３５と蓋６を開く方向へ付勢するためのものである。本実施形態では、付勢手段３８は、収納容器３５の底部の連結部材２１と、箱体部１５の下側壁１５ｅとの間に備えるばね部材４０とされている。
【０１０８】
ばね部材４０は、本実施形態では、たとえば、無負荷状態のときに図６（ｂ）に示すような上向きに凸の湾曲形状となる板ばね状部材としてある。
【０１０９】
ばね部材４０は、一端側が連結部材２１の蓋６側の下面に取り付けられ、他端側（係止部材２０側）は、連結部材２１から離反する方向へ突出した状態に配置されている。
【０１１０】
なお、連結部材２１の下面は、蓋６の下端面および係止部材２０の下端面よりも高い位置に形成されている。これにより、本実施形態では、蓋６を閉姿勢とした状態のときに、連結部材２１の下面と下側壁１５ｅの上面との間に、ばね部材４０を収容可能な隙間４１が形成されるようにしてある。
【０１１１】
ばね部材４０は、図６（ａ）に示すように、蓋６が閉姿勢でロック手段７によりロックされた状態のときには、他端側の位置が下側壁１５ｅの上面に接することで拘束されるため、湾曲形状が延ばされた弾性変形を生じた状態で隙間４１内に収められる。この状態では、ばね部材４０の弾性変形状態からの復元力が、連結部材２１に対して上向きの力として作用する。よって、この力により、蓋６および収納容器３５は、軸５を中心に開く方向へ付勢される。
【０１１２】
したがって、ロック手段７による蓋６のロックが解除されると、図６（ｂ）に示すように、蓋６は、自動的に、軸５を中心に、図６（ｂ）で反時計方向に回動して、開口部４を開くことができる。
【０１１３】
そのため、ばね部材４０の弾性は、図６（ｂ）に示した弾性変形状態からの復元力により、収納容器３５とそれに収納される鍵Ｘとチェーン３４の重量を押し上げることができるように設定されている。
【０１１４】
なお、ばね部材４０は、板ばね状部材とし、ばね部材４０の一端側を連結部材２１の下面に取り付けた例を示したが、これに限られるものではなく、ばね部材４０を上下方向に反転させた姿勢として、下側壁１５ｅ側に一端側を取り付けた構成としてもよい。また、ばね部材４０は、コイルばねのような圧縮ばね部材を、蓋６を閉姿勢とするときに対向して配置される連結部材２１の下面と下側壁１５ｅの上面との間に配置して、いずれかに取り付けた構成としてもよい。
【０１１５】
更には、付勢手段３８は、閉姿勢の蓋６を開く方向に付勢することができれば、ばね以外の弾性部材を採用してもよいことは勿論であり、付勢する力を掛ける個所は、蓋６と収納容器３５の任意の部分でよいことは勿論である。
【０１１６】
保持手段３６は、図６（ａ）（ｂ）、図７に示すように、収納空間３の上方となる位置に配置されている。本実施形態では、保持手段３６は、たとえば、箱体部１５の前側壁１５ａとベースプレート１４との間で前後方向に延びる円筒体とされている。更に、保持手段３６は、一端側が前側壁１５ａの内側に固定されている。なお、保持手段３６は、軸５と同様な構成によって前側壁１５ａとベースプレート１４により両持ちで支持される構成としてもよい。
【０１１７】
なお、保持手段３６は、円筒体でなくてもよく、円柱状のものでもよい。また、保持手段３６は、断面形状が円形のものに限られるものではなく、断面形状が四角、三角のものであってもよい。更には、後述するリング部４２のようなチェーン３４の一端側に備える係止具を係止して、筐体２内に保持することができれば、たとえば、アイボルトやアイナットのような係止金具や、その他、図示した以外の形式の保持手段であってもよいことは勿論である。
【０１１８】
チェーン３４は、一端側に、筐体２に保持させるための係止具としてのリング部４２を備えた構成とされている。リング部４２は、保持手段３６の外周に嵌めることで、保持手段３６に係止されている。
【０１１９】
なお、リング部４２は、保持手段３６を挿通可能な環状の構造を備えていればよく、保持手段３６の断面形状に合わせた形状のものを使用してもよいし、保持手段の断面形状とは異なる形状のものを使用してもよい。
【０１２０】
チェーン３４の他端側には、第１実施形態と同様のリング部２７を備えた鍵保持具１０が取り付けられている。したがって、本実施形態においても、鍵保持具１０は、リング部２７を、鍵Ｘの把持部Ｙに備えられている孔に通して取り付けることができる。この状態で、鍵Ｘは、鍵保持具１０、チェーン３４とリング部４２、および、保持手段３６を介して筐体２に連結される。
【０１２１】
なお、本実施形態では、鍵保持具１０は、チェーン３４と鍵Ｘの把持部Ｙの孔とを連結する機能を得るための最低限の構成として、リング部２７のみの構成としてある。
【０１２２】
チェーン３４は、キーボックス１ａから取り出した鍵Ｘを、図４に示す出入口３３で使用できる長さを有するものとしてある。したがって、鍵Ｘを収納容器３５に収納するときには、チェーン３４に弛みが生じるので、このチェーン３４の弛む部分を折りたたんで鍵Ｘと一緒に収納容器３５に収納する。
【０１２３】
チェーン３４は、引っ張っても容易に切れることがない強度を備えるものであることが好ましい。チェーン３４の材質は、金属製のものが好ましいが、必ずしも金属製のものに限られるものではない。
【０１２４】
規制手段３７は、筐体２内にて、保持手段３６の位置よりも開口部４側の位置で且つ保持手段３６の位置よりも下方となる位置に配置されている。
【０１２５】
本実施形態では、規制手段３７は、保持手段３６と平行に配置された棒状の部材とされ、その一端側が前側壁１５ａの内側に固定されている。この規制手段３７には、チェーン３４の一端側の部分が掛けられている。これにより、チェーン３４は、開口部４の内側にて、保持手段３６よりも開口部４に近い位置で垂下するように配置されている。
【０１２６】
本実施形態のキーボックス１ａは、前記した構成とされているので、第１実施形態の使用例と同様に、蓋６が閉姿勢となっている図６（ａ）の状態において、たとえば、住宅の内覧のために鍵Ｘの一時利用を望む利用者は、本実施形態のキーボックス１ａから鍵Ｘを取り出す。この際、利用者は、利用許可を受けた期間に内覧対象の住宅へ行き、図６（ａ）に示す認証用手段３２で所定のアプリケーションプログラムを実行する。これにより、本実施形態のキーボックス１ａでは、第１実施形態と同様に、制御器１３によるロック解除指令に従ってロック手段７による蓋６のロックが解除される。
【０１２７】
蓋６のロックが解除されると、蓋６と収納容器３５は、ばね部材４０の変形状態からの復元力により押し上げられる。このため、図６（ｂ）に示すように、蓋６と収納容器３５は、軸５を中心に回動し、上端側が、開口部４から外側に開く。
【０１２８】
蓋６が図６（ｂ）に示すように開くと、利用者は、蓋６を更に手動で開く方向へ回動させることにより、蓋６を９０度回動させることができる（図４参照）。
【０１２９】
この状態で、利用者は、収納容器３５に収納されている鍵Ｘを手に持つことができる。利用者が鍵Ｘを移動させると、鍵Ｘに繋がれているチェーン３４が収納容器３５から引き出される。これにより、第１実施形態の場合と同様に、利用者は、図４に示すように、鍵Ｘを使用して出入口３３の錠の解錠操作を行うことが可能となり、住宅の内覧を行うことができる。
【０１３０】
利用者は、内覧が終了すると、鍵Ｘを用いて出入口３３の施錠操作を行い、鍵Ｘとチェーン３４を収納容器３５に収納させる。この際、チェーン３４は、鍵Ｘと保持手段３６との間で張られている状態から鍵Ｘを収納容器３５に近付けることで弛みが生じるが、チェーン３４を順次収納容器３５に収納して行くことで、チェーン３４は絡まることなく収納でき、最後に鍵Ｘを収納容器３５に収納することができる。
【０１３１】
利用者は、鍵Ｘとチェーン３４が収納容器３５に収納されると、蓋６を閉じる方向へ回動させる。
【０１３２】
蓋６が図６（ｂ）の位置まで閉じられると、それ以降の回動では、ばね部材４０の変形が生じるため、回動に対し抵抗が生じるが、使用者は、その抵抗に抗して蓋６を更に開口部４の方向に押圧し、開口部４を閉塞させる。
【０１３３】
蓋６が開口部４を閉塞した閉姿勢になると、第１実施形態の場合と同様に、制御器１３によるロック指令に従ってロック手段７による蓋６のロックが実施される。
【０１３４】
したがって、本実施形態によっても、第１実施形態と同様の効果を得ることができる。
【０１３５】
なお、本発明は、前記各実施形態および使用例にのみ限定されるものではなく、各図に示した各構成部材の寸法や各構成部材同士の寸法比は、図示するための便宜上のものであり、実際の寸法や寸法比を反映したものではない。
【０１３６】
本発明のキーボックス１，１ａは、各図に示した構成を左右に反転させた構成としてもよい。
【０１３７】
本発明のキーボックス１，１ａは、箱体部１５をベースプレート１４から取り外してダミーと取り替えるという使用方法を実施するには、筐体２の内部に備える機器が箱体部１５側に取り付けられていることが好ましい。しかし、前記のような使用方法が想定されない場合は、筐体２の内部の機器は、箱体部１５とベースプレート１４のいずれに支持させるようにしてもよい。
【０１３８】
筐体２は、ベースプレート１４と、取り外し可能な箱体部１５とを備えた構成のものを例示したが、第１実施形態において、鍵保持具１０が接続される鍵Ｘを収納する収納空間３と、収納空間３の側方の開口部４とを備え、更に、索状物９のリール８、ロック手段７、信号通信部１１、電源１２、制御器１３を収納できるようにしてあれば、図２（ａ）（ｂ）に図示した以外の構造や形状を備えていてもよい。
【０１３９】
開口部４は、筐体２の側面部における上下方向の中間部に設けられていてもよい。
【０１４０】
ロック手段７は、図５（ａ）（ｂ）（ｃ）（ｄ）に示した如きサーボモータ２４と係止アーム２５とを備えた構成とすることが好ましいが、蓋６と一体に回動する係止部材２０を解除可能に係止する構成を備えていれば、たとえば、係止アーム２５を、軸５と平行に配置された出力軸を有するサーボモータに取り付けた構成、サーボモータ２４に代えて直動式のアクチュエータを備えて直動させる係止片を係止部材に押し当てる構成、その他、図示した以外の任意の形式の係止部材とロック手段を採用してもよい。
【０１４１】
蓋６が閉姿勢であることを検出するためのセンサとして、係止部材２０を検出対象とする近接センサ２６を例示したが、蓋６自体、あるいは、蓋６と一体に回動する係止部材２０以外の部材を検出対象とするセンサを用いるようにしてもよい。また、その検出方式は、検出対象の動きや材質などに応じた任意の方式を採用してよい。
【０１４２】
信号通信部１１は、認証用手段３２から認証信号Ｓを受けることができるようにしてあれば、認証信号Ｓを無線通信以外の手法で受けるものとしてもよい。たとえば、信号通信部１１が画像認識の機能を備える一方、認証用手段３２がディスプレイに認証信号Ｓをバーコードや二次元コードのような画像によるコードを表示する機能を備える構成としてもよい。この場合は、認証用手段３２のディスプレイに表示される画像コードを信号通信部１１が画像認識することで、認証用手段３２から信号通信部１１への認証信号Ｓの受け渡しを行うことができる。更に、非接触で十数メートル程度までの範囲で通信可能な手段であれば、赤外線などの光を用いた通信手段や、その他の非接触通信手段を採用してもよい。また、認証信号Ｓを無線通信（ＢＬＵＥＴＯＯＴＨ（登録商標）など）で受ける場合には、信号通信部１１は、筐体２の上部など、図示した以外の位置に配置してもよい。
【０１４３】
更に、認証用手段３２は、信号通信部１１に認証信号Ｓを入力することができるようにしてあれば、たとえば、非接触型ＩＣカードや、接触型ＩＣカード、その他、任意の形状の認証用手段を使用してもよい。
【０１４４】
本発明のキーボックス１，１ａに収納して自動での貸し出しを行う対象となる鍵Ｘは、カードキーであってもよい。
【０１４５】
第２実施形態では、チェーン３４に代えて、索状物として、収納容器３５に収納可能な繊維製、樹脂製の紐状物を用いるようにしてもよい。
【０１４６】
鍵保持具１０は、索状物に鍵Ｘを取り付けることが可能となる機能を備えていれば、使用する索状物に応じて、各実施形態で示した以外の形状や構造の鍵保持具１０を採用してもよい。
【０１４７】
また、本発明のキーボックス１，１ａは、設置された対象物の解錠のための鍵Ｘであって、一時利用が望まれる鍵Ｘであれば、たとえば、機械式駐車装置の制御盤収納箱の鍵Ｘや、貸し会議室のような建物内の部屋の鍵Ｘなど、住宅の鍵Ｘ以外の鍵Ｘの自動での貸し出しに適用してもよい。
【０１４８】
その他本発明の要旨を逸脱しない範囲内で種々変更を加え得ることは勿論である。
【符号の説明】
【０１４９】
２  筐体
３  収納空間
４  開口部
５  軸
６  蓋
７  ロック手段
８  リール
９  索状物
１０  鍵保持具
１１  信号通信部
１２  電源
１３  制御器
２８  ガイド
３４  チェーン（索状物）
Ｘ  鍵
【図１】
2018071111.tif 000003
【図２】
2018071111.tif 000004
【図３】
2018071111.tif 000005
【図４】
2018071111.tif 000006
【図５】
2018071111.tif 000007
【図６】
2018071111.tif 000008
【図７】
2018071111.tif 000009